【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
方法であって、
第１コンピューティング・デバイスが、ソーシャルネットワーキング・システムの第１ユーザについて、複数の連絡先情報ソースから、連絡先情報の複数のインスタンスを受信することであって、前記連絡先情報の複数のインスタンスの各々は、連絡先情報の複数のカテゴリのうちの１つに対応する、前記受信すること、
前記第１コンピューティング・デバイスが、ソーシャルグラフにおいて前記第１ユーザと接続された複数の第２ユーザによる利用のため、連絡先情報の各カテゴリにおいて、前記第１ユーザのデフォルト連絡先情報として、前記連絡先情報の複数のインスタンスの１つを自動的に選択することであって、
前記ソーシャルグラフは、複数のノードと、該複数のノードを接続する複数のエッジとを含み、
前記複数のノードのうちの第１ノードは、前記第１ユーザに対応し、前記複数のノードのうちの複数の第２ノードの各々は、前記複数の第２ユーザのうちの対応する第２ユーザに対応し、
前記デフォルト連絡先情報は、
前記連絡先情報の選択されたインスタンスが複数の第２ユーザと第１ユーザとの以前の連絡に使用された頻度と、
算出された前記第１ユーザに対して高い親密度係数を有する複数の第２ユーザの一部分によって使用される連絡先情報に対応する連絡先情報の選択されたインスタンスと、に少なくとも部分的に基づいて選択され、
複数の親密度係数の各々は、前記ソーシャルグラフに含まれる情報から計算され、前記複数の親密度係数の各々は、前記第１ノードと、前記複数の第２ユーザの一部分の対応する第２ユーザを示す第２ノードとの間のエッジの強さを示す、前記自動的に選択すること、
前記第１コンピューティング・デバイスが、テーブル内の前記第１ユーザの連絡先情報を更新することであって、前記連絡先情報の選択されたインスタンスを、前記連絡先情報の対応するカテゴリの第1ユーザのデフォルト連絡先情報として記録することを含む前記更新すること、
前記第１コンピューティング・デバイスが、前記複数の第２ユーザにそれぞれ対応する複数の第２コンピューティング・デバイスの各々に、前記複数の第２ユーザによって使用される連絡先情報の複数のカテゴリの各々について選択されたデフォルト連絡先情報を提供すること、を備える方法。
【請求項２】
１つまたは複数の連絡先情報ソースは、サードパーティ・システムを含む、請求項１に記載の方法。
【請求項３】
前記複数の第１ユーザのうちの１人または複数の各々について、１つまたは複数の連絡先情報ソースは、前記複数の第１ユーザに関連付けられたクライアント・デバイスを含む、請求項１に記載の方法。
【請求項４】
１つまたは複数の連絡先情報のカテゴリは、
電子メールアドレス、
電話番号、または、
住所を含む、請求項１に記載の方法。
【請求項５】
前記デフォルト連絡先情報の選択は、前記複数の第１ユーザによる好ましい連絡先情報の表示に少なくとも部分的にさらに基づく、請求項１に記載の方法。
【請求項６】
前記デフォルト連絡先情報の選択は、前記連絡先情報の対応するカテゴリ内の連絡先情報のインスタンスの最新性に少なくとも部分的にさらに基づく、請求項１に記載の方法。
【請求項７】
前記デフォルト連絡先情報の選択は、前記複数の第２ユーザのうちの一人以上のアクティビティに少なくとも部分的にさらに基づく、請求項１に記載の方法。
【請求項８】
ソフトウェアを実装する１つまたは複数の非一時的なコンピュータ可読記憶媒体であって、前記ソフトウェアは、実行されるときに、
ソーシャルネットワーキング・システムの第１ユーザについて、複数の連絡先情報ソースから、連絡先情報の複数のインスタンスを受信することであって、前記連絡先情報の複数のインスタンスの各々は、連絡先情報の複数のカテゴリのうちの１つに対応する、前記受信すること、
ソーシャルグラフにおいて前記第１ユーザと接続された複数の第２ユーザによる利用のため、連絡先情報の各カテゴリにおいて、前記第１ユーザのデフォルト連絡先情報として、前記連絡先情報の複数のインスタンスの１つを自動的に選択することであって、
前記ソーシャルグラフは、複数のノードと、該複数のノードを接続する複数のエッジとを含み、
前記複数のノードのうちの第１ノードは、前記第１ユーザに対応し、前記複数のノードのうちの複数の第２ノードの各々は、前記複数の第２ユーザのうちの対応する第２ユーザに対応し、
前記デフォルト連絡先情報は、
前記連絡先情報の選択されたインスタンスが複数の第２ユーザと第１ユーザとの以前の連絡に使用された頻度と、
算出された前記第１ユーザに対して高い親密度係数を有する複数の第２ユーザの一部分によって使用される連絡先情報に対応する連絡先情報の選択されたインスタンスと、に少なくとも部分的に基づいて選択され、
複数の親密度係数の各々は、前記ソーシャルグラフに含まれる情報から計算され、前記複数の親密度係数の各々は、前記第1ノードと、前記複数の第２ユーザの一部分の対応する第２ユーザを示す第２ノードとの間のエッジの強さを示す、前記自動的に選択すること、
テーブル内の前記第１ユーザの連絡先情報を更新することであって、前記連絡先情報の選択されたインスタンスを、前記連絡先情報の対応するカテゴリの第１ユーザのデフォルト連絡先情報として記録することを含む前記更新すること、
前記複数の第２ユーザにそれぞれ対応する複数の第２コンピューティング・デバイスの各々に、前記複数の第２ユーザによって使用される連絡先情報の複数のカテゴリの各々について選択されたデフォルト連絡先情報を提供すること、を実行するように動作可能である、１つまたは複数の非一時的なコンピュータ可読記憶媒体。
【請求項９】
連絡先情報ソースのうちの１つまたは複数は、サードパーティ・システムを含む、請求項８に記載の１つまたは複数の非一時的なコンピュータ可読記憶媒体。
【請求項１０】
第１ユーザのうちの１人または複数の各々について、連絡先情報ソースのうちの１つまたは複数は、前記第１ユーザに関連付けられたクライアント・デバイスを含む、請求項８に記載の１つまたは複数の非一時的なコンピュータ可読記憶媒体。
【請求項１１】
連絡先情報のカテゴリのうちの１つまたは複数は、
電子メールアドレス、
電話番号、または、
住所を含む、請求項８に記載の１つまたは複数の非一時的なコンピュータ可読記憶媒体。
【請求項１２】
前記デフォルト連絡先情報の選択は、前記第１ユーザによる好ましい連絡先情報の表示に少なくとも部分的にさらに基づく、請求項８に記載の１つまたは複数の非一時的なコンピュータ可読記憶媒体。
【請求項１３】
前記デフォルト連絡先情報の選択は、前記連絡先情報の対応するカテゴリ内の連絡先情報のインスタンスの最新性に少なくとも部分的にさらに基づく、請求項８に記載の１つまたは複数の非一時的なコンピュータ可読記憶媒体。
【請求項１４】
前記デフォルト連絡先情報の選択は、前記複数の第２ユーザのうちの一人以上のアクティビティに少なくとも部分的にさらに基づく、請求項８に記載の１つまたは複数の非一時的なコンピュータ可読記憶媒体。
【請求項１５】
システムであって、
１つまたは複数のプロセッサと、
前記１つまたは複数のプロセッサに結合され、且つ前記１つまたは複数のプロセッサによって実行可能な命令を含むメモリとを備え、前記命令の実行時、前記１つまたは複数のプロセッサが、
ソーシャルネットワーキング・システムの第１ユーザについて、複数の連絡先情報ソースから、連絡先情報の複数のインスタンスを受信することであって、前記連絡先情報の複数のインスタンスの各々は、連絡先情報の複数のカテゴリのうちの１つに対応する、前記受信すること、
ソーシャルグラフにおいて前記第１ユーザと接続された複数の第２ユーザによる利用のため、連絡先情報の各カテゴリにおいて、前記第１ユーザのデフォルト連絡先情報として、前記連絡先情報の複数のインスタンスの１つを自動的に選択することであって、
前記ソーシャルグラフは、複数のノードと、該複数のノードを接続する複数のエッジとを含み、
前記複数のノードのうちの第１ノードは、前記第１ユーザに対応し、前記複数のノードのうちの複数の第２ノードの各々は、前記複数の第２ユーザのうちの対応する第２ユーザに対応し、
前記デフォルト連絡先情報は、
前記連絡先情報の選択されたインスタンスが複数の第２ユーザと第１ユーザとの以前の連絡に使用された頻度と、
算出された前記第１ユーザに対して高い親密度係数を有する複数の第２ユーザの一部分によって使用される連絡先情報に対応する連絡先情報の選択されたインスタンスと、に少なくとも部分的に基づいて選択され、
複数の親密度係数の各々は、前記ソーシャルグラフに含まれる情報から計算され、前記複数の親密度係数の各々は、前記第1ノードと、前記複数の第２ユーザの一部分の対応する第２ユーザを示す第２ノードとの間のエッジの強さを示す、前記自動的に選択すること、
テーブル内の前記第１ユーザの連絡先情報を更新することであって、前記連絡先情報の選択されたインスタンスを、前記連絡先情報の対応するカテゴリの第１ユーザのデフォルト連絡先情報として記録することを含む前記更新すること、
前記複数の第２ユーザにそれぞれ対応する複数の第２コンピューティング・デバイスの各々に、前記複数の第２ユーザによって使用される連絡先情報の複数のカテゴリの各々について選択されたデフォルト連絡先情報を提供すること、を実行するように動作可能である、システム。
【請求項１６】
連絡先情報ソースのうちの１つまたは複数は、サードパーティ・システムを含む、請求項１５に記載のシステム。
【請求項１７】
第１ユーザのうちの１人または複数の各々について、連絡先情報ソースのうちの１つまたは複数は、前記複数の第１ユーザに関連付けられたクライアント・デバイスを含む、請求項１５に記載のシステム。
【請求項１８】
連絡先情報のカテゴリのうちの１つまたは複数は、
電子メールアドレス、
電話番号、または、
住所を含む、請求項１５に記載のシステム。
【請求項１９】
前記デフォルト連絡先情報の選択は、前記連絡先情報の対応するカテゴリ内の連絡先情報のインスタンスの最新性に少なくとも部分的にさらに基づく、請求項１５に記載のシステム。
【請求項２０】
前記デフォルト連絡先情報の選択は、前記複数の第２ユーザのうちの一人以上のアクティビティに少なくとも部分的にさらに基づく、請求項１５に記載のシステム。